(57)【要約】【課題】  常時抗菌効果、消臭効果を持った樹脂製で清潔に維持できる取っ手と手を触れるとタッチセンサーで各種音声、メロデーが流れ、又水の流れる擬音、防犯ブザーを内臓した便座に装着する取っ手を提供する。【解決手段】マイナスイオン、遠赤外線を発生するトルマリン鉱石等の微粉末を含有した抗菌効果、消臭効果等のある樹脂製の取っ手を設け、常時取っ手の表面全体を清潔にし、玩具や花等の各種形状をしたの取っ手に数種のタッチセンサーを設け取っ手の手で持つ部分の内の中空部に、各種音声、オルゴール等のメロデー、水の流れる擬音装置、防犯ブザーなどの機器を設置して、取っ手を粘着テープで便座の裏側に接着することを特徴とする。洋式便器の便座用取っ手。【選択図】図１
0003129737.tif 000002
【実用新案登録請求の範囲】
【請求項１】
洋式便器の便座の裏側あるいは側面に粘着テープをもって取っ手を設けた便座。
【請求項２】
洋式便器の便座に取り付けた取っ手の素材を合成樹脂製にし、トルマリン鉱石の微粉末・ゲルマニウムの微粉末、銀イオン、銅イオン等を加えることで、便座の雑菌の繁殖を抑え、個室の空気をきれいにすることを特徴とする請求項１記載の洋式便器の便座の取っ手。
【請求項３】
樹脂製の取っ手の形状を、子供のトイレトレイニング等で喜んで出来るように各種動物又はおもちゃ等の各種形状にした請求項１および２記載の洋式便器の便座の取っ手。
【請求項４】
樹脂製の各種形状をした取っ手の上部又は側面にタッチセンサーを設け、取っ手に触れることにより数分間、各種音声、メロデーが流れ、又、水の流れる擬音効果として使用できるＩＣチップ又は装置を設けた請求項１〜３記載の洋式便器の便座の取っ手。
【請求項５】
樹脂製の各種形状の取っ手の内部に小型の防犯ブザーが内蔵することも出来る請求項１〜４記載の洋式便器の便座の取っ手。
【考案の詳細な説明】
【技術分野】
【０００１】  本発明は、洋式便器の便座の開閉のさい、抗菌性のあるトルマリン鉱石の微粉末等を含有した各種形状の清潔な樹脂製の取っ手に関する。
【背景技術】
【０００２】  従来の洋式便器での小用さい、蓋及び便座の開閉は、蓋又は便座本体を手でじかに個別又は同時に持って開閉をしてる状態で衛生面から考えると極めて不衛生であるが、今だ解決されていない。特に、大勢が使用する公共トイレ、駅のトイレ等の便器の便座は不衛生である。ただ近年では取っ手を取り付ける特許又は実用新案が数件公開されている。しかし、今だ公共トイレ等で見たことはない。
【特許文献１】  特開２００６−１８７５３３公報
【特許文献２】  特開２００３−３２５３８１公報
【考案の開示】
【考案が解決しようとする課題】
【０００３】  それには次のような問題があった。
男性が洋式便器を使用して小用するさいに、使用者が個別又は同時に蓋又は便座を手でじかにつかみ開閉しなければならず、指が蓋又は便座および便器に触れて衛生上、好ましくない等の問題点がある。特に子供、高齢者が使用するときは衛生面から好ましくない。
本考案は、以上の問題点を解決しようとするものである。
【課題を解決するための手段】
【０００４】  本考案の取っ手は、材質を抗菌効果、消臭効果のあるマイナスイオン、遠赤外線を発生するトルマリン鉱石、ゲルマニウム、銅イオン、銀イオン等の微粉末を素材の樹脂に混合し、子供の喜ぶ玩具や花等の各種形状の金型を製作し、射出成形機をもって成形する。取っ手の内部を中空にして各種音声、オルゴール等のメロデー、水の擬音効果のでる機器、防犯ブザー等の機器を内蔵し、取っ手上部又は側面に複数のタッチセンサーを設ける。以上を特徴とする洋式便器用便座の取っ手。
【考案の効果】
【０００５】  本考案は、取っ手の樹脂の素材にトルマリン鉱石、ゲルマニウム鉱石、銅イオン、銀イオンなどの抗菌効果、消臭効果、マイナスイオンの発生でトイレの個室の空気をきれいにする等の効果と、各種音声、オルゴール等のメロデー、水の流れる擬音効果、防犯ブザーなどの機器を取っ手の内部に組み込み、その上部表面又は側面に複数のタッチセンサーを設け、子供から高齢者まで使用でき、快適なトイレ時間が楽しめる効果が大いに期待できる。
【考案を実地するための最良の形態】
【０００６】  本考案は、備付の洋式便器の便座部分の適所裏側に粘着テープをもって一方ないし両側に取付けたいろいろの機能をそなえた便座の取っ手。
【実施例】
【０００７】  以下、添付図面に従って一実施例を説明する。
図１は洋式便器に取付けられた便座１の両側に取付けた平面図、取っ手本体２の素材は抗菌効果、消臭効果のあるマイナスイオン、遠赤外線をだすトルマリン鉱石、ゲルマニウム、銅イオン、銀イオン等の鉱石の微粉末を混合した樹脂製で、玩具、花等の形状の金型を製作し射出成形機を持って成形する。【０００８】  図３は取っ手の平面図で、取っ手本体２は、便座に取付ける側の上面に粘着テープ３を設け、便座の裏側の適所の一方又は両方に固定する。【０００９】  図５は取っ手の断面図で、取っ手本体２の手で持つ部分の内部は中空４にし、その内部に各種音声、オルゴール等のメロデー、水の流れる擬音装置、防犯ベルの機器が挿入できる取っ手。【００１０】  図３の取っ手の平面図の取っ手本体２の手で持つ部分の上面および側面にタッチセンサー５を設け、押すことで各機能を選択できる機能をもうけた取っ手。
【産業上の利用可能性】
【００１１】  洋式トイレの普及により子供から高齢者まで安全で、清潔な環境が望まれるため、今後も大いに期待できる。
【図面の簡単な説明】
【００１２】
【図１】本考案の取っ手を便座に取り付けた平面図である。
【図２】本考案の取っ手を便座に取り付けた上部の正面図である。
【図３】取っ手の平面図である。
【図４】取っ手の正面図である。
【図５】取っ手のＡ〜Ａの断面図である。
【図６】便座の下部に取っ手を取付けた一部断面図。
【符号の説明】
【００１３】１  便座
２  取っ手本体
３  粘着テープ
４  中空部
５  タッチセンサー
【図１】
0003129737.tif 000003
【図２】
0003129737.tif 000004
【図３】
0003129737.tif 000005
【図４】
0003129737.tif 000006
【図５】
0003129737.tif 000007
【図６】
0003129737.tif 000008
【手続補正書】
【提出日】平成18年11月27日(2006.11.27)
【手続補正１】
【補正対象書類名】実用新案登録請求の範囲
【補正対象項目名】全文
【補正方法】変更
【補正の内容】
【実用新案登録請求の範囲】
【請求項１】
洋式便器の便座の裏側又は側面に粘着テープで取っ手を設けたことを特徴とする取っ手を設けた便座。
【請求項２】
洋式便座に取付けた取っ手の素材を、トルマリン鉱石の微粉末、ゲルマニウムの微粉末、銀イオン、銅イオン等を加えた合成樹脂製にすることで、取っ手周辺がイオン効果により便座の雑菌の繁殖を抑え、個室の空気をさわやかにすることを特徴とする請求項１に記載の取っ手を設けた便座。
【請求項３】
合成樹脂製の取っ手の形状を、子供がトレイニング等で喜んで遊ぶ各種動物・玩具等にしたことを特徴とする請求項１または２記載の取っ手を設けた便座。
【請求項４】
合成樹脂製の各種形状をした取っ手の上部又は側面にタッチセンサーを設け、取っ手に触れることにより数分間、各種音声、メロデーが流れ、又、水の流れる擬音効果として使用できるＩＣチップ又は装置を設けたことを特徴とする請求項１〜３のいずれか一項に記載の取っ手を設けた便座。
【請求項５】
合成樹脂製の各種形状の取っ手の内部に小型の防犯ブザーを内蔵したことを特徴とする請求項１〜４のいずれか一項に記載の取っ手を設けた便座。